(57)【要約】      （修正有）【課題】ペットボトルなどに巻きつけられている表示用フィルムの剥離手段において、不本意に剥離するのを防止する表示用フィルムを提供する。【解決手段】ペットボトルなどの樹脂の容器に巻きつける表示用フィルム２において、表示フィルムの下部に位置する摘み部３ｇを対向する表示用フィルムの裏側に位置する形態にて構成した。【選択図】図４
2008051889.tif 000002
【特許請求の範囲】
【請求項１】
ペットボトルなどの樹脂の容器（１）に巻きつける表示用フィルム（２）において、下部（２ａ）から上方に向けて斜めの切り込み部（３ａ）を設け、該切り込み部（３ａ）の適宜に設けた上端部（３ｂ）から表示用フィルムの上部（２ｂ）まで略垂直にミシン目（３ｃ）を設け、一方、該斜め方向に切り込まれた（３ａ）の下部から若干離れた表示用フィルムの下部（２ａ）に、斜めに切り込み部（３ｄ）を設け、前記斜め方向に切り込まれた（３ａ）と（３ｄ）に囲まれた部分を摘み部（３ｇ）として接合しない部分とし、該斜めの切り込み部（３ｄ）の上端部（３ｅ）を上端部（３ｂ）の高さに略等しい高さとし、前記ミシン目（３ｃ）と略平行にミシン目（３ｆ）を上部（２ｂ）まで延在して設けてその間を剥離部（３）とし、摘み部（３ｇ）以外の重なり合う部分を接合部としてなり、摘み部（３ｇ）を有する側の表示用フィルムの縁（３ａ）を対向する表示用フィルムの裏側に位置するように構成したことを特徴とする表示用フィルムの剥離形態。
【請求項２】
前記斜め方向に切り込まれた（３ａ）と（３ｄ）が略平行であることを特徴とする請求項１記載の表示用フィルムの剥離形態。
【発明の詳細な説明】
【技術分野】
【０００１】
ペットボトルなどの容器に巻きつけられている表示用フィルムに設けられている剥離用のミシン目の剥離形態にかかわる。
【背景技術】
【０００２】
従来の技術において該当する出願はありませんでした。
【０００３】
先行特許はそのほとんどが表示用フィルムをペットボトルから簡単に剥がせるという技術の開示はあってもエラー防止に対する配慮がなされているものはありません。
【０００４】
以下に本発明に該当する可能性のある先行特許を示します。
【特許文献１】特開２００６−１９３２０７号
【特許文献２】特開２００４−２５６１６９号
【特許文献３】特開平１０−３１６１４３号
【特許文献４】特開２００６−９６４１４号
【特許文献５】特開２００５−１３２４７９号
【発明の開示】
【発明が解決しようとする課題】
【０００５】
従来ではペットボトルなどに巻きつけられている表示用フィルムの剥離用ミシン目が表示用フィルムの剥離用ミシン目は高さ方向に一直線であり、下部から指にフィルムのミシン目の片方をつまみ引っ張って剥離してゆくと略中央部でそれから上部に延在するミシン目を裂いてゆくことができず、ミシン目のない斜め横方向に引き裂かれて行き、下部から上部にかけてミシン目に沿ってスムーズに剥離できない短所があった。特許文献２とミシン目との組み合わせがそれに該当する。
【０００６】
また、表示用フィルムに平行にミシン目を設けるだけとすると表示用フィルムの下部に爪を入れて破り上げるものもあるが、その方法では爪を痛める危険性やめくりにくさもあり扱いにくかった。
【０００７】
更に、ペットボトルに巻きつけられている表示用フィルムに平行にミシン目を設けるだけの場合、表示用フィルムとボトル本体との間に爪を入れて剥がすのを防ぐ為、平行のミシン目の間の剥離フィルムを下方に半円状にて突出させ、その突出部を摘んでめくり上げ、剥離フィルム部分を剥離する製品もあるが、これも簡単に剥がせる為、何らかの単純な不手際によりミシン目の途中まで剥がしてしまう短所があった。
【０００８】
特許文献１や特許文献２や特許文献５で示すようにフィルムの上部に凸部や引っ掛け部を設けるとあまりに剥がれ易い形態である為に上記と同様に取り扱いの不手際などで途中まで簡単に剥がれてしまう短所がある。
【課題を解決するための手段】
【０００９】
本発明の表示用フィルムの剥離形態はペットボトルなどの樹脂の容器（１）に巻きつける表示用フィルム（２）において、下部（２ａ）から上方に向けて斜めの切り込み部（３ａ）を設け、該切り込み部（３ａ）の適宜に設けた上端部（３ｂ）から表示用フィルムの上部（２ｂ）まで略垂直にミシン目（３ｃ）を設け、一方、該斜め方向に切り込まれた（３ａ）の下部から若干離れた表示用フィルムの下部（２ａ）に、斜めに切り込み部（３ｄ）を設け、前記斜め方向に切り込まれた（３ａ）と（３ｄ）に囲まれた部分を摘み部（３ｇ）として接合しない部分とし、該斜めの切り込み部（３ｄ）の上端部（３ｅ）を上端部（３ｂ）の高さに略等しい高さとし、前記ミシン目（３ｃ）と略平行にミシン目（３ｆ）を上部（２ｂ）まで延在して設けてその間を剥離部（３）とし、摘み部（３ｇ）以外の重なり合う部分を接合部としてなり、摘み部（３ｇ）を有する側の表示用フィルムの縁（３ａ）を対向する表示用フィルムの裏側に位置するように構成したことを特徴とする。
【００１０】
前記斜め方向に切り込まれた（３ａ）と（３ｄ）が略平行であることを特徴とする。
【発明の効果】
【００１１】
ペットボトルなどの樹脂の容器（１）に巻きつける表示用フィルム（２）において、ペットボトルなどの樹脂の容器（１）に巻きつける表示用フィルム（２）において、下部（２ａ）から上方に向けて斜めの切り込み部（３ａ）を設け、該切り込み部（３ａ）の適宜に設けた上端部（３ｂ）から表示用フィルムの上部（２ｂ）まで略垂直にミシン目（３ｃ）を設け、一方、該斜め方向に切り込まれた（３ａ）の下部から若干離れた表示用フィルムの下部（２ａ）に、斜めに切り込み部（３ｄ）を設け、前記斜め方向に切り込まれた（３ａ）と（３ｄ）に囲まれた部分を摘み部（３ｇ）として接合しない部分とし、該斜めの切り込み部（３ｄ）の上端部（３ｅ）を上端部（３ｂ）の高さに略等しい高さとし、前記ミシン目（３ｃ）と略平行にミシン目（３ｆ）を上部（２ｂ）まで延在して設けてその間を剥離部（３）とし、摘み部（３ｇ）以外の重なり合う部分を接合部としてなり、摘み部（３ｇ）を有する側の表示用フィルムの縁（３ａ）を対向する表示用フィルムの裏側に位置するように構成したことにより、
【００１２】
対向する表示用フィルムの裏側に位置する斜めの切り込み部（３ａ）と一体化している斜めの切り込み部（３ｄ）の右側の表示フィルム部分を指でなぞりながらたぐり寄せて引き出し、摘み上げてめくり、更に、その摘み部（３ｇ）を摘んだまま上方向に剥がすと表示用フィルムの下部から上部にかけてミシン目（３ｃ）と（３ｆ）に沿ってスムーズに剥がせ表示用フィルムをペットボトルなどの樹脂の容器（１）から分けることができる。
【００１３】
この場合、摘み部は斜めの切り込み部（３ａ）と切り込み部（３ｄ）と下部（２ａ）で構成される切片部分であり、下方に突出しておらず表示用フィルムがペットボトルにきれいにすっきりと巻きついた形態となり、また、摘み部（３ｇ）が露出していないことから手違いなどでその部分に手が触れても摘み部（３ｇ）に触ることはなく、誤って剥がしてしまうことを防止できる。
【００１４】
また、下方への突出部がないことから外観上違和感はない。
【００１５】
前記斜め方向に切り込まれた（３ａ）と（３ｄ）が略平行であることにより、またエンドレスのフィルムテープから無駄なく本フィルムを切り出すことができる。
【発明を実施するための最良の形態】
【００１６】
表示フィルムの下部から下方に突出させる部分がなく、表示用フィルムの下部を横方向に指を滑らせるすなわちなぞることで摘み部を引き出し、その摘まみ部を摘みミシン目に沿ってめくることによりペットボトルなどの樹脂製の容器本体から表示用フィルムを分けることができる。
【実施例１】
【００１７】
本発明の実施例を各図を参照して説明する。
本発明は図１と図２と図４にて示すようにペットボトルなどの樹脂の容器１に巻きつける表示用フィルム２において、下部２ａから上方に向けて斜めの切り込み部３ａを設け、該切り込み部３ａの適宜に設けた上端部３ｂから表示用フィルムの上部２ｂまで略垂直にミシン目３ｃを設け、一方、該斜め方向に切り込まれた３ａの下部から若干離れた表示用フィルムの下部２ａに、斜めに切り込み部３ｄを設け、前記斜め方向に切り込まれた３ａと３ｄに囲まれた部分を摘み部３ｇとして接合しない部分として、該斜めの切り込み部３ｄの上端部３ｅを上端部３ｂの高さに略等しい高さとし、前記ミシン目３ｃと略平行にミシン目３ｆを上部２ｂまで延在して設けてその間を剥離部３とし、摘み部３ｇ以外の重なり合う部分を接合部としてなり、摘み部３ｇを有する側の表示用フィルムの縁３ａを対向する表示用フィルムの裏側に位置するように構成してなる。
【００１８】
表示用フィルムを剥がすときは図１と図２と図４に示すように、ペットボトルを一方の片手にもち、他方の手でフィルムの下部２ａの斜め方向に切り込まれた摘み部３ｇを指を右方向になぞるようにすなわちなでることで摘まみ部３ｇを対向する表示用フィルムの裏側から引き出して摘み、ミシン目に沿って上方向に向けて剥がすと表示用フィルムの下部から上部にかけてミシン目３ｃと３ｆに沿って剥離部３をペットボトルから容易に剥離することができる。
【００１９】
ここで、図３で示すように摘み部３ａを対向する表示用フィルムの表側に設けると、摘み部３ｇが外方向に突出し、何らかの不手際があれば簡単にミシン目が切れて行く形態となり好ましくない。
よって、剥離部３を接合部とした場合、表示フィルムの重ねあわせ手段は左右いずれが表側あるいは裏側であっても相互に接合しない摘み部３ｇが裏側になるように構成されればよい。
【００２０】
摘み部３ｇを有する側の表示用フィルムの縁を対向する表示用フィルムの裏側になるように構成した場合には摘み部３ｇが反対側の表示用フィルムの裏側に位置する形態となるが、この図の場合、指で右方向になぞりたぐり寄せることにより摘み部３ｇが引き出されてくる。すなわち、右方向になぞらなければ摘み部は露出して来ない。これにより何らかの不手際により右方向になぞる現象は皆無に近い。
よって、本発明は何らかの不手際があっても剥がれにくく、使用する場合は、これらの図からすれば右方向になぞりたぐりよせるという単純な作業をすることにより剥離部３を容易に剥離することができ、表示用フィルムをペットボトルから外して分けることができる。
【００２１】
一方、前記斜め方向に切り込まれた３ａと３ｄが略平行とすることでエンドレス加工で表示用フィルムを得ることができる。
【産業上の利用可能性】
【００２２】
表示用フィルムが外観上違和感がなく従業員や子供などが何らかの不手際を起こしてもミシン目が切れることを極力なくし、使用時においては横方向になぞるという単純な作業をつけくわえることによりエラーが起き難い。しかし、扱い易いペットボトルの表示用フィルムとすることができるよって市場における拡販が期待できる。
【図面の簡単な説明】
【００２３】
【図１】剥離部を剥がす前の外観略図
【図２】剥離部を剥がした後の外観図
【図３】右側の表示用のフィルムを上にして構成した形態の摘み部近傍の拡大図
【図４】右側の表示用のフィルムを下にして構成した形態の摘み部近傍の拡大図
【符号の説明】
【００２４】
１    ペットボトルなどの樹脂の容器
２    表示用フィルム
３    剥離部
３ａ  斜めの切り込み部
３ｂ  斜めの切り込み部（３ａ）の上端部
３ｃ  ミシン目
３ｄ  斜めの切り込み部
３ｅ  斜めの切り込み部（３ｄ）の上端部
３ｆ  ミシン目
３ｇ  摘み部
【図１】
2008051889.tif 000003
【図２】
2008051889.tif 000004
【図３】
2008051889.tif 000005
【図４】
2008051889.tif 000006